(57)【要約】  デジタル著作権管理方式が適用された所定のコンテンツをユーザ端末機に提供するDRMゲートウェイの動作方法は、第１ユーザ端末機から第２ユーザ端末機が支援するDRM方式情報およびDRM方式で暗号化されたコンテンツ送信要請を受信するステップと、コンテンツ送信要請に対応し、通信網を介して連結されたコンテンツ提供サーバにDRM方式対応の暗号化されたコンテンツを要請するステップと、コンテンツ提供サーバから暗号化されたコンテンツを受信し、該コンテンツを第２ユーザ端末機に送信するステップとを含む。
2009514322.tif 000002
【特許請求の範囲】
【請求項１】
デジタル著作権管理方式が適用された所定のコンテンツをユーザ端末機に提供するＤＲＭゲートウェイの動作方法であって、
第１ユーザ端末機から第２ユーザ端末機が支援するＤＲＭ方式情報および前記ＤＲＭ方式によって暗号化されたコンテンツ送信要請を受信するステップと、
前記コンテンツ送信要請に対応し、通信網を介して連結されたコンテンツ提供サーバに前記ＤＲＭ方式と対応する暗号化されたコンテンツを要請するステップと、
前記コンテンツ提供サーバから前記暗号化されたコンテンツを受信し、前記暗号化されたコンテンツを前記第２ユーザ端末機に送信するステップと、
を含むことを特徴とするＤＲＭゲートウェイの動作方法。
【請求項２】
前記第２ユーザ端末機が支援する前記ＤＲＭ方式情報は、前記第２端末機から受信した情報であり、前記コンテンツ送信要請は、前記第１ユーザ端末機に保存された前記コンテンツの識別情報であることを特徴とする請求項１に記載のＤＲＭゲートウェイの動作方法。
【請求項３】
１つ以上のＤＲＭ方式が適用されたコンテンツを提供する複数のコンテンツ提供サーバリストを記録するデータベースを保持するステップ、
をさらに含み、
前記コンテンツ送信要請に対応し、前記ＤＲＭ方式と対応するコンテンツを提供するコンテンツ提供サーバに前記暗号化されたコンテンツを要請する前記ステップは、
前記データベースを参照して、前記ＤＲＭ方式が適用された前記コンテンツを提供するコンテンツ提供サーバに前記暗号化されたコンテンツを要請するステップであることを特徴とする請求項１に記載のＤＲＭゲートウェイの動作方法。
【請求項４】
前記コンテンツ送信要請に対応し、前記ＤＲＭ方式と対応するコンテンツを提供するコンテンツ提供サーバに前記暗号化されたコンテンツを要請する前記ステップは、
前記コンテンツ送信要請に対応し、前記ＤＲＭ方式が適用されたコンテンツを提供するコンテンツ提供サーバに前記暗号化されたコンテンツおよび前記暗号化されたコンテンツに対する、前記コンテンツが前記第２ユーザ端末機で再生されるようにする暗号化キーを含む権利オブジェクトを要請するステップであり、
前記コンテンツ提供サーバから前記暗号化されたコンテンツを受信し、前記暗号化されたコンテンツを前記第２ユーザ端末機に送信する前記ステップにおいて、前記コンテンツ提供サーバから受信した前記権利オブジェクトを前記第２ユーザ端末機にさらに送信することを特徴とする請求項１に記載のＤＲＭゲートウェイの動作方法。
【請求項５】
前記コンテンツ提供サーバから前記暗号化されたコンテンツを受信し、前記暗号化されたコンテンツを前記第２ユーザ端末機に送信する前記ステップは、
前記コンテンツ提供サーバから前記暗号化されたコンテンツを受信し、これを前記第１ユーザ端末機に送信するステップであり、
前記第１ユーザ端末機は、前記受信した暗号化されたコンテンツを前記第２ユーザ端末機に送信することを特徴とする請求項１に記載のＤＲＭゲートウェイの動作方法。
【請求項６】
前記コンテンツ送信要請は、前記第２ユーザ端末機の端末機識別情報を含み、
前記コンテンツ提供サーバから前記暗号化されたコンテンツを受信し、前記暗号化されたコンテンツを前記第２ユーザ端末機に送信する前記ステップは、
前記第２ユーザ端末機の前記端末機識別情報を参照して、前記暗号化されたコンテンツを有無線通信網を介して前記第２ユーザ端末機に送信するステップであることを特徴とする請求項１に記載のＤＲＭゲートウェイの動作方法。
【請求項７】
前記コンテンツ提供サーバから前記暗号化されたコンテンツを受信し、前記暗号化されたコンテンツを前記第２ユーザ端末機に送信する前記ステップは、
前記第２ユーザ端末機の前記端末機識別情報を参照して、前記第２ユーザ端末機に前記暗号化されたコンテンツが保存されているストレージ手段のアドレス情報を含むメッセージを送信するステップであり、
前記第２ユーザ端末機は、ユーザの確認応答に応じて、前記ストレージ手段から前記有無線通信網を介して前記暗号化されたコンテンツを受信することを特徴とする請求項６に記載のＤＲＭゲートウェイの動作方法。
【請求項８】
前記第２ユーザ端末機は、移動通信端末機であることを特徴とする請求項１〜７のうちのいずれか一項に記載のコンテンツ提供方法。
【請求項９】
請求項１〜７のうちのいずれか一項の方法を実行させるためのプログラムを記録したコンピュータ読み取り可能な記録媒体。
【請求項１０】
デジタル著作権管理方式が適用された所定のコンテンツをユーザ端末機に提供するＤＲＭゲートウェイであって、
第１ユーザ端末機から第２ユーザ端末機が支援するＤＲＭ方式情報および前記ＤＲＭ方式によって暗号化されたコンテンツ送信要請を受信する通信モジュールと、
前記コンテンツ送信要請に対応し、通信網を介して連結されたコンテンツ提供サーバに前記ＤＲＭ方式と対応する暗号化されたコンテンツを要請するコンテンツ要請モジュールと、
前記コンテンツ提供サーバから前記暗号化されたコンテンツを受信し、前記暗号化されたコンテンツを前記第２ユーザ端末機に送信するコンテンツ送信モジュールと、
を備えることを特徴とするＤＲＭゲートウェイ。
【請求項１１】
１つ以上のＤＲＭ方式が適用されたコンテンツを提供する複数のコンテンツ提供サーバリストを記録するデータベース、
をさらに含み、
前記コンテンツ要請モジュールは、
前記データベースを参照して、前記ＤＲＭ方式が適用された前記コンテンツを提供するコンテンツ提供サーバに前記暗号化されたコンテンツを要請することを特徴とする請求項１０に記載のＤＲＭゲートウェイ。
【請求項１２】
前記コンテンツ要請モジュールは、
前記コンテンツ送信要請に対応し、前記ＤＲＭ方式が適用されたコンテンツを提供するコンテンツ提供サーバに前記暗号化されたコンテンツおよび前記暗号化されたコンテンツに対する、コンテンツが前記第２ユーザ端末機で再生されるようにする暗号化キーを含む権利オブジェクトを要請し、
前記コンテンツ送信モジュールは、
前記コンテンツ提供サーバから受信した前記権利オブジェクトを前記第２ユーザ端末機にさらに送信することを特徴とする請求項１０に記載のＤＲＭゲートウェイ。
【発明の詳細な説明】
【技術分野】
【０００１】
本発明は、互いに異なるＤＲＭ方式を支援する端末機間にＤＲＭ変換を実行するＤＲＭゲートウェイの動作方法およびこの方法が採用されたＤＲＭゲートウェイに関し、より詳細には、第１ユーザ端末機から第２ユーザ端末機が支援するＤＲＭ方式によって暗号化されたコンテンツ送信要請を受信し、ＤＲＭ方式によって暗号化されたコンテンツを第２ユーザ端末機に送信するＤＲＭゲートウェイの動作方法およびこのＤＲＭゲートウェイに関する。
【背景技術】
【０００２】
今日、技術の発展に伴い、ユーザ端末機にマルチメディアコンテンツを提供するマルチメディアコンテンツ提供サービスが一般化している。これと共に、コンテンツ提供によってコンテンツ製作者の著作権を保護するために、マルチメディアコンテンツにＤＲＭ（Ｄｉｇｉｔａｌ  Ｒｉｇｈｔｓ  Ｍａｎａｇｅｍｅｎｔ）を適用することが必須的に求められており、このような要求によって多様なＤＲＭ方式が用いられている。
【０００３】
ＤＲＭとは、デジタルコンテンツの無断使用を防ぎ、著作権に関する当事者の利益と権利を保護する技術を通称するものである。コンテンツを暗号化せずに配布する場合には、ユーザがコンテンツを不法で用いることができるため、一般的にＤＲＭを提供するコンテンツ提供サーバはコンテンツを暗号化して送信し、正当なユーザに権利オブジェクト（Ｒｉｇｈｔｓ  Ｏｂｊｅｃｔ）を送信することで、正当なユーザのみがコンテンツを再生出力できるようにする。権利オブジェクトは、コンテンツの復号化に用いられるコンテンツ暗号化キーおよびコンテンツ利用情報に関する情報であるコンテンツ使用権限などを含む。
【０００４】
一方、従来技術によれば、ユーザ端末機は、予め指定されたＤＲＭ方式によるコンテンツのみを生成出力する。また、同様に、コンテンツを提供するコンテンツ提供サーバは、コンテンツに１つのＤＲＭ方式を適用してユーザ端末機に提供する。
【０００５】
図１は、従来技術によって、ユーザ端末機にＤＲＭが適用されたコンテンツを提供する実施形態を示した図である。
【０００６】
図１を参照すれば、第１ユーザ端末機１０１からコンテンツ提供要請をコンテンツ提供サーバ１（１０２）に送信すれば、コンテンツ提供サーバｌ（１０２）は、ＤＲＭ１方式によって暗号化されたコンテンツおよび権利オブジェクトを第１ユーザ端末機に送信する。
【０００７】
このとき、コンテンツ提供サーバ１（１０２）は、第１ユーザ端末機で支援するＤＲＭ方式である「ＤＲＭ１」方式によってコンテンツを暗号化し、権利オブジェクトを生成するサーバである。実施形態によって暗号化されたコンテンツがまず第１ユーザ端末機に送信され、権利オブジェクトは所定の決済過程および認証過程を経て別途に送信されるようになる。第１ユーザ端末機１０１は、権利オブジェクトに含まれた複号化キーを用いて暗号化されたコンテンツを複号化し、複号化されたコンテンツを再生出力する。
【０００８】
同様に、第２ユーザ端末機１０３は、コンテンツ提供要請をコンテンツ提供サーバ２（１０４）に送信する。コンテンツ提供サーバ２（１０４）は、第２ユーザ端末機で支援するＤＲＭ方式である「ＤＲＭ２」方式によってコンテンツを暗号化し、権利オブジェクトを生成する。コンテンツ提供サーバ２（１０４）は、ＤＲＭ２方式によって暗号化されたコンテンツおよび権利オブジェクトを第２ユーザ端末機１０３に送信する。
【０００９】
このとき、暗号化されたコンテンツがまず送信され、権利オブジェクトは所定の決済過程および認証過程を経て別途に送信されるようになる。第２ユーザ端末機１０３は、権利オブジェクトに含まれた複号化キーを用いて暗号化されたコンテンツを複号化して再生出力する。
【００１０】
上記のように、従来技術のコンテンツ提供サーバは、予め設定されたＤＲＭ方式によって暗号化されたコンテンツのみを提供するため、異種類のＤＲＭ方式によって暗号化されたコンテンツは提供することができないという短所がある。
【００１１】
すなわち、図２において、ユーザが第１ユーザ端末機１０１を用いてコンテンツを出力生成している途中に、同じコンテンツを２ユーザ端末機１０３を用いて再生しようとする場合に、第１ユーザ端末機１０１から第２ユーザ端末機１０３にコンテンツを送信することはできるが、第１ユーザ端末機１０１および第２ユーザ端末機１０３が支援するＤＲＭ方式が互いに異なる場合には、第１ユーザ端末機１０１から第２ユーザ端末機１０３に送信したコンテンツを再生することができないという短所がある。
【００１２】
また、従来技術のコンテンツ提供サーバは、１つのＤＲＭ方式のみを用いてコンテンツを保護するため、他のＤＲＭ方式を用いて暗号化されたコンテンツを提供することができないという短所がある。
【００１３】
ユーザが第１ユーザ端末機１０１を用いてコンテンツ提供サーバｌ（１０２）で提供するコンテンツをダウンロードしている途中に、ユーザの他の端末機である第２ユーザ端末機１０３にも同じコンテンツまたは他のコンテンツをダウンロードしたい場合にも、第２ユーザ端末機１０３が支援するＤＲＭ方式がコンテンツ提供サーバｌ（１０２）で提供する方式と異なれば、コンテンツ提供サーバｌ（１０２）でダウンロードしたコンテンツを再生することができないという短所がある。
【００１４】
したがって、従来技術によれば、ユーザ端末機端ではマルチメディアコンテンツを送受信する方式が一般的に利用されているのに比べてＤＲＭ間の変換提供は提供されておらず、ユーザがコンテンツの著作権を保護しながら自由に用いることができないという制約があった。
【００１５】
したがって、このような短所を解決し、第１ユーザ端末機でも第２ユーザ端末機で支援するＤＲＭ方式のコンテンツ送信要請を行うことができ、これに応答して第２ユーザ端末機で支援するＤＲＭ方式のコンテンツを第２ユーザ端末機に提供することができる手段が切に要請されてきた。
【発明の開示】
【発明が解決しようとする課題】
【００１６】
本発明は、ユーザが２つ以上のユーザ端末機を用いていて、第１ユーザ端末機と第２ユーザ端末機が支援するＤＲＭ方式が異なる場合に、１つのユーザ端末機から他のユーザ端末機にＤＲＭ方式の変換を実行することで、コンテンツの活用度を高めるＤＲＭゲートウェイを提供することを目的とする。
【００１７】
また、本発明は、ユーザがユーザの第１ユーザ端末機からＤＲＭゲートウェイに第２ユーザ端末機が支援するＤＲＭ方式情報およびコンテンツ送信要請を送信するだけでも、第１ユーザ端末機および第２ユーザ端末機すべてで同じコンテンツを再生できるようにするＤＲＭゲートウェイにおける動作方法およびこのＤＲＭゲートウェイを提供することを他の目的とする。
【００１８】
さらに、本発明は、ユーザが第１ユーザ端末機で利用中のコンテンツまたは第１ユーザ端末機に保存されたコンテンツを第２ユーザ端末機で支援するＤＲＭ方式が適用された形態で第２ユーザ端末機にも送信し、第２ユーザ端末機でも即時に利用が可能なようにしながら、コンテンツの著作権を保護することができるＤＲＭゲートウェイにおける動作方法およびこのＤＲＭゲートウェイを提供することをさらに他の目的とする。
【課題を解決するための手段】
【００１９】
前記の目的を達成し、上述した従来技術の問題点を解決するために、本発明の一実施形態に係るデジタル著作権管理方式が適用された所定のコンテンツをユーザ端末機に提供するＤＲＭゲートウェイの動作方法は、第１ユーザ端末機から第２ユーザ端末機が支援するＤＲＭ方式情報および前記ＤＲＭ方式によって暗号化されたコンテンツ送信要請を受信するステップと、前記コンテンツ送信要請に対応し、通信網を介して連結されたコンテンツ提供サーバに前記ＤＲＭ方式と対応する暗号化されたコンテンツを要請するステップと、前記コンテンツ提供サーバから前記暗号化されたコンテンツを受信し、前記暗号化されたコンテンツを前記第２ユーザ端末機に送信するステップとを含む。
【００２０】
また、デジタル著作権管理方式が適用された所定のコンテンツをユーザ端末機に提供するＤＲＭゲートウェイは、第１ユーザ端末機から第２ユーザ端末機が支援するＤＲＭ方式情報および前記ＤＲＭ方式によって暗号化されたコンテンツ送信要請を受信する通信モジュールと、前記コンテンツ送信要請に対応し、通信網を介して連結されたコンテンツ提供サーバに前記ＤＲＭ方式と対応する暗号化されたコンテンツを要請するコンテンツ要請モジュールと、前記コンテンツ提供サーバから前記暗号化されたコンテンツを受信し、前記暗号化されたコンテンツを前記第２ユーザ端末機に送信するコンテンツ送信モジュールとを備える。
【発明の効果】
【００２１】
本発明は、ユーザが２つ以上のユーザ端末機を用いていて、第１ユーザ端末機と第２ユーザ端末機が支援するＤＲＭ方式が異なる場合に、１つのユーザ端末機から他のユーザ端末機にＤＲＭ方式の変換を実行することで、コンテンツの活用度を高めるＤＲＭゲートウェイを提供することができる効果がある。
【００２２】
また、本発明は、ユーザがユーザの第１ユーザ端末機からＤＲＭゲートウェイに第２ユーザ端末機が支援するＤＲＭ方式情報およびコンテンツ送信要請を送信するだけでも、第１ユーザ端末機および第２ユーザ端末機すべてで同じコンテンツを再生できるようにする効果がある。
【００２３】
また、本発明は、ユーザが第１ユーザ端末機で利用中のコンテンツまたは第１ユーザ端末機に保存されたコンテンツを第２ユーザ端末機で支援するＤＲＭ方式が適用された形態で第２ユーザ端末機にも送信し、第２ユーザ端末機でも即時に利用が可能なようにしながら、コンテンツの著作権を保護することができる効果がある。
【発明を実施するための最良の形態】
【００２４】
以下、添付の図面を参照しながら、本発明に係るＤＲＭゲートウェイにおける動作方法およびそのＤＲＭゲートウェイについて詳細に説明する。
【００２５】
図２は、本発明の一実施形態に係るＤＲＭゲートウェイのネットワーク連結を示した図である。第１ユーザ端末機２０１および第２ユーザ端末機２０２は、有無線通信網を介してＤＲＭゲートウェイ２０３と連結する。また、ＤＲＭゲートウェイ２０３は、有無線通信網を介して１つ以上のＤＲＭ方式が適用されたコンテンツを提供する複数のコンテンツ提供サーバ２０４、２０５、２０６と連結する。
【００２６】
本発明のユーザ端末機１０２は、ＰＣ、ＰＤＡ（Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ハンドヘルド（ｈａｎｄｈｅｌｄ）ＰＣ、携帯電話、ＭＰ３プレーヤなどのようにＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（ＩｒＤＡ）、有無線ＬＡＮカードのような所定の通信モジュールを備えることができ、マルチメディア再生機能を実行する所定のマイクロプロセッサを搭載することで所定の演算能力を有する端末機を通称する概念であり、第１ユーザ端末機２０１と第２ユーザ端末機２０２は互いに異なる方式のＤＲＭを支援する端末機であると言える。
【００２７】
図３は、本発明の一実施形態によって、ＤＲＭゲートウェイが動作する過程を示したフローチャートである。図３を参照すれば、本発明の一実施形態によって、ＤＲＭゲートウェイが動作する過程は次のようになる。
【００２８】
ステップＳ３０１で、第１ユーザ端末機３０１は、第１ユーザ端末機に保存されたコンテンツを送信する。実施形態によって、第２ユーザ端末機３０２で支援するＤＲＭ方式情報を要請することができる。例えば、ユーザは、第１ユーザ端末機３０１であるＰＣに保存された「愛らしい」という音楽コンテンツを鑑賞している途中に、これを自分の移動通信端末機でも鑑賞しようとする場合に、第２ユーザ端末機３０２である移動通信端末機に音楽コンテンツを送信し、第２ユーザ端末機３０２で支援するＤＲＭ方式情報を要請する。
【００２９】
また、実施形態によって、第１ユーザ端末機３０１は、第２ユーザ端末機３０２にコンテンツを送信せずに、第２ユーザ端末機３０２で支援するＤＲＭ方式情報のみを要請したり、第１ユーザ端末機３０１の内部保存手段に第２ユーザ端末機３０２のＤＲＭ方式情報を保存しておくことができる。
【００３０】
ステップＳ３０２で、第２ユーザ端末機３０２は、コンテンツを受信し、このコンテンツに適用されたＤＲＭ方式を確認し、第２ユーザ端末機３０２で支援する方式と相違する場合には、第２ユーザ端末機で支援するＤＲＭ方式情報および端末機識別情報を第１ユーザ端末機３０１に送信する。
【００３１】
前記の例において、第２ユーザ端末機３０２である移動通信端末機で音楽コンテンツを受信し、このコンテンツに適用されたＤＲＭ方式を確認し、移動通信端末機で支援する方式と相違する場合には、移動通信端末機で支援するＤＲＭ方式情報および端末機識別番号である移動通信端末番号をＰＣに送信する。
【００３２】
また、実施形態によって、第１ユーザ端末機３０１から第２ユーザ端末機３０２に第２ユーザ端末機３０２が支援するＤＲＭ方式情報のみを要請する場合に、第２ユーザ端末機３０２は、ＤＲＭ方式情報を第１ユーザ端末機３０１に送信する。
【００３３】
ステップＳ３０３で、第１ユーザ端末機３０１は、第２ユーザ端末機３０２から第２ユーザ端末機が支援するＤＲＭ方式情報を受信し、受信したＤＲＭ方式情報およびＤＲＭ方式によって暗号化されたコンテンツ送信要請をＤＲＭゲートウェイ３０３に送信する。
【００３４】
このとき、コンテンツ送信要請は、第１ユーザ端末機に保存されたコンテンツの識別情報または第２ユーザ端末機の識別情報を含むことができる。
【００３５】
前記の例において、第１ユーザ端末機３０１であるＰＣは、第２ユーザ端末機３０２である移動通信端末機から移動通信端末機が支援するＤＲＭ方式情報およびＤＲＭ方式によって暗号化されたコンテンツ送信要請を受信し、受信したＤＲＭ方式情報およびＤＲＭ方式よって暗号化されたコンテンツ送信要請をＤＲＭゲートウェイ３０３に送信する。
【００３６】
コンテンツ送信要請は、第１ユーザ端末機に保存された音楽コンテンツ「愛らしい」の識別情報および第２端末機識別情報である移動通信端末番号「０１１−３４５−６７８９」を含むことができる。
【００３７】
このとき、実施形態によって、ユーザは、第１ユーザ端末機３０１から所定の認証過程または決済過程を経てコンテンツ送信要請をＤＲＭゲートウェイ３０３に送信することができる。一例として、ＤＭＲゲートウェイ３０３は、ユーザ別のダウンロード可能回数をデータベースに保持し、ダウンロード可能回数内でのみ第１端末機３０２にコンテンツを送信し、コンテンツ送信要請がダウンロード可能回数を超過する場合には、決済過程を経てコンテンツを送信するようにできる。
【００３８】
ステップＳ３０３で、本発明のＤＲＭゲートウェイ３０３は、コンテンツ送信要請に対応し、通信網を介して連結されたコンテンツ提供サーバにＤＲＭ方式と対応する暗号化されたコンテンツを要請する。
【００３９】
このとき、１つ以上のＤＲＭ方式が適用されたコンテンツを提供する複数のコンテンツ提供サーバリストを記録するデータベースを保持し、データベースを参照して、ＤＲＭ方式が適用されたコンテンツを提供するコンテンツ提供サーバに暗号化されたコンテンツを要請する。
【００４０】
図４は、本発明の一実施形態によって、ＤＲＭゲートウェイに含まれるデータベースの一例を示した図である。図４を参照すれば、ＤＲＭゲートウェイに含まれるデータベースは、コンテンツ提供サーバリストであるコンテンツ提供サーバ情報４０２および各コンテンツ提供サーバで提供するＤＲＭ方式４０１を記録および保持する。
【００４１】
コンテンツ提供サーバ情報４０２は、コンテンツ提供サーバを識別するための識別子、コンテンツ提供サーバにコンテンツ要請情報を送信するためのネットワークアドレスなどを含むことができる。
【００４２】
本発明のＤＲＭゲートウェイ３０３は、第２ユーザ端末機が支援するＤＲＭ方式情報およびコンテンツ送信要請を受信すれば、データベースを参照して、受信したＤＲＭ方式が適用されたコンテンツを提供するコンテンツ提供サーバを検索する。
【００４３】
該当コンテンツ提供サーバが検索されれば、通信網を介して連結されたコンテンツ提供サーバにＤＲＭ方式と対応する暗号化されたコンテンツを要請する。例えば、第２ユーザ端末機で支援するＤＲＭ方式が「ＤＲＭ１」である場合に、ＤＲＭゲートウェイ３０３は、データベースを参照して、「ＤＲＭ１」方式が適用されたコンテンツを提供する「サーバ１」を検索し、「サーバ１」に「ＤＲＭ１」方式で暗号化されたコンテンツ「愛らしい」を要請することができる。
【００４４】
このとき、本発明のＤＲＭゲートウェイ３０３は、暗号化されたコンテンツと共に、暗号化されたコンテンツに対する権利オブジェクトを要請することができる。権利オブジェクトは、上述したように、コンテンツが第２ユーザ端末機で再生されるようにする暗号化キー（ｅｎｃｒｙｐｔｉｏｎ  ｋｅｙ）およびコンテンツ利用情報に関する情報であるコンテンツ使用権限などを含む。
【００４５】
暗号化キーは、特定のユーザ端末機でのみコンテンツを用いることができるように制限を加えるための構成であって、ユーザ端末機の公開キーを用いて暗号化されるようになる。
【００４６】
また、コンテンツ使用権限は、該当コンテンツが再生可能なユーザ端末機情報、該当コンテンツのバックアップ可能の可否に対する情報、該当コンテンツが再生可能な期間に対する情報などを含む。
【００４７】
本実施形態では、コンテンツ提供サーバで暗号化されたコンテンツおよびこれに対する権利オブジェクトをすべて提供する実施形態で説明しているが、暗号化されたコンテンツおよび権利オブジェクトは別途のサーバで提供することもできる。この場合に、ＤＲＭゲートウェイ３０３は、コンテンツおよび権利オブジェクトを別途に要請して受信することができる。
【００４８】
ステップＳ３０５で、コンテンツ送信要請を受信したコンテンツ提供サーバ３０４は、ＤＲＭ方式情報およびコンテンツ送信要請に含まれたコンテンツ識別情報を確認した後にこれに該当するコンテンツを識別し、識別されたコンテンツおよび権利オブジェクトをＤＲＭゲートウェイ３０３に送信する。
【００４９】
前記の例において、コンテンツ提供サーバ「サーバ１」は、「ＤＲＭ１」方式で暗号化されたコンテンツ「愛らしい」およびコンテンツに対する権利オブジェクトをＤＲＭゲートウェイ３０３に送信する。
【００５０】
ステップＳ３０６で、本発明のＤＲＭゲートウェイ３０３は、コンテンツ提供サーバから暗号化されたコンテンツおよび権利オブジェクトを受信し、第２ユーザ端末機識別情報を用いて暗号化されたコンテンツおよび権利オブジェクトを前記第２ユーザ端末機に送信する。
【００５１】
前記の例において、ＤＲＭゲートウェイ３０３は、コンテンツ提供サーバ３０４から「ＤＲＭ１」方式で暗号化された「愛らしい」のコンテンツおよびコンテンツに対する権利オブジェクトを受信し、これを移動通信端末番号「０１１−３４５−６７８９」に該当する第２ユーザ端末機３０２に送信する。
【００５２】
このとき、ＤＲＭゲートウェイ３０３は、第２ユーザ端末機３０２の端末機識別情報を参照して、第２ユーザ端末機に暗号化されたコンテンツが保存されているストレージ手段のアドレス情報を含むメッセージを送信し、暗号化されたコンテンツを送信することができる。一例として、アドレス情報はコールバック（ｃａｌｌ−ｂａｃｋ）ＵＲＬであると言えるし、メッセージはＳＭＳであると言える。
【００５３】
メッセージの送信を受けた第２ユーザ端末機は、ユーザの確認応答に応じて、ストレージ手段から有無線通信網を介して暗号化されたコンテンツを受信する。
【００５４】
例えば、第２ユーザ端末機３０２が移動通信端末機である場合に、暗号化されたコンテンツが保存されているストレージ手段のアドレス情報を含むＳＭＳメッセージを送信し、ユーザが第２ユーザ端末機３０２で確認応答を選択すれば、第２ユーザ端末機３０２はストレージ手段に接続して暗号化されたコンテンツの送信を受けることができる。
【００５５】
実施形態によって、本発明のＤＲＭゲートウェイ３０３は、ステップＳ３０７で、暗号化されたコンテンツおよび暗号化されたコンテンツに対する権利オブジェクトを第１ユーザ端末機に送信し、第１ユーザ端末機は、受信した暗号化されたコンテンツおよび暗号化されたコンテンツに対する権利オブジェクトを第２ユーザ端末機に送信する。
【００５６】
したがって、本発明によれば、ユーザが第１ユーザ端末機を用いている場合にも、第２ユーザ端末機が支援するＤＲＭ方式によって暗号化されたコンテンツを第２ユーザ端末機に送信することができる。
【００５７】
例えば、ユーザがＰＣを用いて音楽コンテンツ「愛らしい」を鑑賞している途中に、ユーザの他の端末機である移動通信端末機でもこの音楽コンテンツを鑑賞しようとする場合に、従来技術によれば、ＰＣで支援するＤＲＭ方式と移動通信端末機で支援するＤＲＭ方式が相違するため、２種類の端末機それぞれからそれぞれ異なるサーバに接続して暗号化されたコンテンツをダウンロードしなければならなかったが、本発明によれば、ユーザのＰＣからＤＲＭゲートウェイに移動通信端末機で支援するＤＲＭ方式情報およびコンテンツ送信要請を送信するだけでも、ユーザＰＣおよび移動通信端末機すべてで同じ音楽コンテンツを鑑賞することができるという効果がある。
【００５８】
すなわち、本発明は、ユーザが第１ユーザ端末機で利用中のコンテンツまたは第１ユーザ端末機に保存されたコンテンツを第２ユーザ端末機で支援するＤＲＭ方式が適用された形態で第２ユーザ端末機にも送信し、第２ユーザ端末機でも即時に利用が可能なようにしながら、コンテンツの著作権を保護することができるという効果がある。
【００５９】
なお、本発明に係るＤＲＭゲートウェイにおける動作方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００６０】
図５は、本発明の一実施形態に係るＤＲＭゲートウェイの構成を示したブロック図である。図５を参照すれば、本発明の一実施形態に係るＤＲＭゲートウェイは、通信モジュール５０１と、コンテンツ要請モジュール５０２と、コンテンツ送信モジュール５０３と、データベース５０４とを備えて構成される。
【００６１】
通信モジュール５０１は、第１ユーザ端末機から第２ユーザ端末機が支援するＤＲＭ方式情報およびＤＲＭ方式によって暗号化されたコンテンツ送信要請を受信する。
【００６２】
コンテンツ要請モジュール５０２は、コンテンツ送信要請に対応し、通信網を介して連結されたコンテンツ提供サーバにＤＲＭ方式と対応する暗号化されたコンテンツを要請する。コンテンツ要請モジュール５０２は、データベース５０４を参照して、ＤＲＭ方式が適用されたコンテンツを提供するコンテンツ提供サーバに暗号化されたコンテンツを要請することができ、これと共に、暗号化されたコンテンツに対する権利オブジェクトを要請することができることは上述した通りである。
【００６３】
コンテンツ送信モジュール５０３は、コンテンツ提供サーバから暗号化されたコンテンツおよびコンテンツ提供サーバから受信した権利オブジェクトを受信し、暗号化されたコンテンツおよびコンテンツ提供サーバから受信した権利オブジェクトを第２ユーザ端末機に送信する。
【００６４】
データベース５０４は、１つ以上のＤＲＭ方式が適用されたコンテンツを提供する複数のコンテンツ提供サーバリストを記録する。データベース５０４は、図４を参照しながら説明した通りである。
【００６５】
図２〜図４を参照しながら、本発明に係るＤＲＭゲートウェイにおける動作方法について説明したが、上述した実施形態で説明した技術的内容は図５のＤＲＭゲートウェイにもそのまま適用されるため、その詳細な内容は省略する。
【００６６】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６７】
【図１】従来技術によって、ユーザ端末機にＤＲＭが適用されたコンテンツを提供する実施形態を示した図である。
【図２】本発明の一実施形態に係るＤＲＭゲートウェイのネットワーク連結を示した図である。
【図３】本発明の一実施形態によって、ＤＲＭゲートウェイが動作する過程を示したフローチャートである。
【図４】本発明の一実施形態によって、ＤＲＭゲートウェイに含まれるデータベースの一例を示した図である。
【図５】本発明の一実施形態に係るＤＲＭゲートウェイの構成を示したブロック図である。
【図１】
2009514322.tif 000003
【図２】
2009514322.tif 000004
【図３】
2009514322.tif 000005
【図４】
2009514322.tif 000006
【図５】
2009514322.tif 000007
【国際調査報告】
2009514322.tif 000008
2009514322.tif 000009
2009514322.tif 000010